(57)【要約】【課題】段ボール製のフレーム本体に鞄や箱などを収容するための収容空間を設けても、耐荷重を十分に確保できるベッドフレームを提供する。【解決手段】段ボール製のベッドフレームであって、前後方向に延びている第一フレーム１０と、左右方向に延びている第二フレーム２０と、を有するフレーム本体２を備えている。複数の第一フレーム１０が左右方向に並べられている。各第一フレーム１０の前部および後部に第二フレーム２０，２０が組み付けられている。第一フレーム１０は、支持梁１１と、支持梁１１から下方に向けて延びている前後の脚板１２，１２と、支持梁１１に重ねられた芯材１３と、を備えている。芯材１３の前後の端部は、両第二フレーム２０，２０に支持されている。脚板１２を構成する段ボールの段目は、上下方向に延びている。芯材１３を構成する段ボールの段目は、前後方向に延びている。【選択図】図１３
2020081857.tif 000002
【特許請求の範囲】
【請求項１】
前後方向に延びている段ボール製の第一フレームと、
左右方向に延びている段ボール製の第二フレームと、を有するフレーム本体を備え、
複数の前記第一フレームが左右方向に並べられるとともに、
前記各第一フレームの前部および後部に、それぞれ前記第二フレームが組み付けられており、
前記第一フレームは、
前後方向に延びている支持梁と、
前記支持梁の前部および後部から下方に向けて延びている前後の脚板と、
前記支持梁に重ねられた芯材と、を備え、
前記芯材の前後の端部は、前後の前記第二フレームの上縁部に支持されており、
前記脚板を構成する段ボールの段目は、上下方向に延びているとともに、
前記芯材を構成する段ボールの段目は、前後方向に延びていることを特徴とするベッドフレーム。
【請求項２】
請求項１に記載のベッドフレームであって、
前記支持梁には、前記両脚板の間となる部位に筒状の保持部が形成され、
前記保持部に前記芯材が挿通されており、
前記芯材の外面に前後二つの位置決め片が突出し、
前側の前記位置決め片は前記保持部の前縁部に係合するとともに、
後側の前記位置決め片は前記保持部の後縁部に係合することを特徴とするベッドフレーム。
【請求項３】
請求項１または請求項２に記載のベッドフレームであって、
前記フレーム本体は、左右方向に延びている段ボール製の第三フレームを備え、
前記第三フレームは、
左右方向に延びている底板と、
前記底板の前後の縁部から上方に向けて延びている前後の差込板と、を備え、
前記各第一フレームの前部および後部に、それぞれ前記第三フレームが組み付けられていることを特徴とするベッドフレーム。
【請求項４】
請求項１から請求項３のいずれか一項に記載のベッドフレームであって、
前記フレーム本体の側部を覆う段ボール製のカバーを備え、
前記カバーの縁部は、内側に折り曲げられていることを特徴とするベッドフレーム。
【請求項５】
請求項１から請求項４のいずれか一項に記載のベッドフレームであって、
段ボール製のヘッドボードを備え、
前記ヘッドボードは、
上下方向に延びている複数の支柱と、
前記各支柱の上部に組み付けられた壁部と、を有し、
前記支柱の下部は、隣り合う二つの前記第一フレームの間に差し込まれ、
前記支柱を構成する段ボールの段目は、上下方向に延びていることを特徴とするベッドフレーム。
【請求項６】
請求項５に記載のベッドフレームであって、
前記支柱の上部には、下部よりも前方に突出した支持部が形成されており、
前記支持部の下縁部は、前記フレーム本体の上面に支持されていることを特徴とするベッドフレーム。
【発明の詳細な説明】
【技術分野】
【０００１】
本発明は、段ボール製のベッドフレームに関する。
【背景技術】
【０００２】
段ボール製のベッドフレームとしては、前後方向に延びているレールと、箱状の脚部と、を備え、複数の脚部を前後方向に間隔を空けて配置し、左右方向に並べた複数のレールを各脚部によって支持しているものがある（例えば、特許文献１参照）。このようなベッドフレームでは、前後の脚部の間に鞄や箱などを収容するための収容空間を形成できる。
【先行技術文献】
【特許文献】
【０００３】
【特許文献１】実用新案登録第３２１５７８１号公報
【発明の概要】
【発明が解決しようとする課題】
【０００４】
前記した従来のベッドフレームでは、レールを構成する段ボールの段目がレールの長手方向に直交する方向に延びている。この構成では、レールが段ボールの段目に沿って折れ曲がり易い。したがって、従来のベッドフレームを用いたベッドでは、収容空間の上方に配置されたレールの曲げ強度が低いため、耐荷重が低くなるという問題がある。
【０００５】
本発明は、前記した問題を解決し、段ボール製のフレーム本体に収容空間を設けても、耐荷重を十分に確保できるベッドを提供することを課題とする。
【課題を解決するための手段】
【０００６】
前記課題を解決するため、本発明は、ベッドフレームであって、前後方向に延びている段ボール製の第一フレームと、左右方向に延びている段ボール製の第二フレームと、を有するフレーム本体を備えている。複数の前記第一フレームが左右方向に並べられるとともに、前記各第一フレームの前部および後部に、それぞれ前記第二フレームが組み付けられている。前記第一フレームは、前後方向に延びている支持梁と、前記支持梁の前部および後部から下方に向けて延びている前後の脚板と、前記支持梁に重ねられた芯材と、を備えている。前記芯材の前後の端部は、前後の前記第二フレームの上縁部に支持されている。前記脚板を構成する段ボールの段目は、上下方向に延びているとともに、前記芯材を構成する段ボールの段目は、前後方向に延びている。
【０００７】
本発明のベッドフレームでは、フレーム本体の前後の脚板の間に、鞄や箱などを収容するための収容空間が形成される。そして、収容空間の上方に配置された支持梁には芯材が設けられている。また、芯材の前後の端部が前後の第二フレームに支持されている。このように、収容空間の上方に配置された支持梁が芯材によって補強されている。
また、芯材を構成する段ボールの段目が芯材の長手方向に延びているため、芯材が折れ曲がり難い。さらに、脚板を構成する段ボールの段目は上下方向に延びているため、上方からの荷重に対する脚板の強度が高い。
このように、本発明のベッドフレームによれば、収容空間の上方に配置された部位の強度が高いため、耐荷重を十分に確保できる。
【０００８】
前記したベッドフレームにおいて、前記支持梁には、前記両脚板の間となる部位に筒状の保持部を形成し、前記保持部に前記芯材を挿通させることが好ましい。さらに、前記芯材の外面に前後二つの位置決め片を突出させることが好ましい。
そして、前側の前記位置決め片を前記保持部の前縁部に係合させるとともに、後側の前記位置決め片を前記保持部の後縁部に係合させることで、支持梁に対して芯材の位置がずれるのを防ぐことができる。
【０００９】
前記したベッドフレームにおいて、前記フレーム本体には、左右方向に延びている段ボール製の第三フレームを設けてもよい。前記第三フレームは、例えば、左右方向に延びている底板と、前記底板の前後の縁部から上方に向けて延びている前後の差込板と、を備えるものである。そして、前記各第一フレームの前部および後部に、それぞれ前記第三フレームを組み付けることが好ましい。
【００１０】
このように、軸断面がＵ形状の第三フレームを、各第一フレームの前部および後部に組み付けることで、フレーム本体が前後方向および左右方向に歪むのを効果的に防ぐことができる。
【００１１】
前記したベッドフレームにおいて、前記フレーム本体の側部を覆う段ボール製のカバーを設けた場合には、前記カバーの縁部を内側に折り曲げることが好ましい。
この構成では、ベッドフレームの側部に段ボールの切断縁が露出しないため、ベッドフレームを使用するときの安全性を高めることができる。
【００１２】
前記したベッドフレームに段ボール製のヘッドボードを設けてもよい。前記ヘッドボードは、上下方向に延びている複数の支柱と、前記各支柱の上部に組み付けられた壁部と、を有し、前記支柱の下部が隣り合う二つの前記第一フレームの間に差し込まれている。前記支柱を構成する段ボールの段目は、上下方向に延びている。
【００１３】
このように、支柱を構成する段ボールの段目を上下方向に延ばすことで、前後方向から作用する力に対する支柱の強度が高くなる。これにより、ベッドフレームに横たわる使用者がヘッドボードに寄り掛かったときに、その荷重をヘッドボードが確実に支持できる。
【００１４】
前記したヘッドボードにおいて、前記支柱の上部に下部よりも前方に突出した支持部を形成し、前記支持部の下縁部が前記フレーム本体の上面に支持されるように構成することが好ましい。
【００１５】
この構成では、ベッドフレームに横たわる使用者がヘッドボードの後面に寄り掛かり、支柱に対して前方に向けて荷重が作用したときに、支持部がフレーム本体の上面に支持されるため、その荷重をヘッドボードが確実に支持できる。
【発明の効果】
【００１６】
本発明のベッドフレームでは、段ボール製のフレーム本体に収容空間を設けても、収容空間の上方に配置された部位の強度が高いため、ベッドフレームの耐荷重を十分に確保できる。
【図面の簡単な説明】
【００１７】
【図１】本発明の第一実施形態に係るベッドフレームを後方左上から見た斜視図である。
【図２】本発明の第一実施形態に係るベッドフレームを後方左上から見た分解斜視図である。
【図３】本発明の第一実施形態に係るフレーム本体およびカバーを後方左上から見た分解斜視図である。
【図４】本発明の第一実施形態に係るフレーム本体を後方左下から見た斜視図である。
【図５】本発明の第一実施形態に係るフレーム本体を後方左下から見た分解斜視図である。
【図６】本発明の第一実施形態に係る第一フレームのブランクシートである。
【図７】本発明の第一実施形態に係る第二フレームのブランクシートである。
【図８】本発明の第一実施形態に係る第三フレームのブランクシートである。
【図９】本発明の第一実施形態に係る芯材を後方左下から見た斜視図である。
【図１０】本発明の第一実施形態に係る芯材のブランクシートである。
【図１１】本発明の第一実施形態に係る支持梁を示した側断面図である。
【図１２】本発明の第一実施形態に係る支持梁を示した底面図である。
【図１３】本発明の第一実施形態に係るフレーム本体を示した側断面図である。
【図１４】本発明の第一実施形態に係るヘッドボードを前方左上から見た分解斜視図である。
【図１５】本発明の第一実施形態に係る支柱のブランクシートである。
【図１６】本発明の第一実施形態に係るフレーム本体とヘッドボードとの連結構造を示した側断面図である。
【図１７】本発明の第二実施形態に係るベッドフレームを後方左上から見た斜視図である。
【図１８】本発明の第二実施形態に係るベッドフレームを後方左上から見た分解斜視図である。
【図１９】本発明の第二実施形態に係るフレーム本体を後方左上から見た斜視図である。
【図２０】本発明の第二実施形態に係るフレーム本体を後方左下から見た分解斜視図である。
【図２１】本発明の第二実施形態に係るフレーム本体の連結構造を示した拡大斜視図である。
【図２２】本発明の第二実施形態に係る芯材を後方左下から見た斜視図である。
【図２３】本発明の第二実施形態に係る芯材のブランクシートである。
【図２４】本発明の第二実施形態に係る支柱を後方左下から見た斜視図である。
【図２５】本発明の第二実施形態に係る支柱のブランクシートである。
【図２６】本発明の第二実施形態に係る支柱を組み立てる態様を後方左下から見た斜視図である。
【発明を実施するための形態】
【００１８】
本発明の実施形態について、適宜図面を参照しながら詳細に説明する。
なお、各実施形態の説明において、同一の構成要素に関しては同一の符号を付し、重複した説明は省略するものとする。
【００１９】
以下の説明において、前後左右方向とは、本実施形態のベッドフレームを説明する上で便宜上設定したものであり、ベッドフレームの構成を限定するものではない。本実施形態では、ベッドフレームの長手方向を前後方向とし、ベッドフレームの幅方向を左右方向としている。
【００２０】
［第一実施形態］
第一実施形態のベッドフレーム１は、図１および図２に示すように、前後に並べられた二つのフレーム本体２，２と、フレーム本体２の側部を覆っている複数のカバー３と、フレーム本体２に取り付けられたヘッドボード４と、を備えている。
【００２１】
第一実施形態のベッドフレーム１では、フレーム本体２、カバー３およびヘッドボード４が段ボールのみを用いて形成されている。また、第一実施形態のベッドフレーム１は、接着剤や粘着テープなどの接着手段を用いることなく、段ボール同士を嵌め合わせることで、各部位が組み付けられている。
【００２２】
フレーム本体２は、図３および図４に示すように、前後方向に延びている複数の第一フレーム１０と、左右方向に延びている前後二つの第二フレーム２０，２０と、左右方向に延びている前後二つの第三フレーム３０，３０と、を備えている。
第一実施形態のフレーム本体２では、五つの第一フレーム１０が左右方向に所定の間隔を空けて並べられている。各第一フレーム１０の前部および後部には、第二フレーム２０および第三フレーム３０がそれぞれ組み付けられている。
【００２３】
第一フレーム１０は、図５に示すように、前後方向に延びている支持梁１１と、支持梁１１の前部および後部から下方に向けて延びている四枚の脚板１２と、を備えている。すなわち、第一フレーム１０は側面視で門形に形成されている。さらに、第一フレーム１０は、図１２に示すように、支持梁１１の内面に重ねられた左右二本の芯材１３，１３を備えている。
【００２４】
支持梁１１および脚板１２は、図６に示すように、一枚の段ボール製のシートを切り抜いたブランクシートＳ１を各罫線において山折りまたは谷折りすることで形成される。図６に示すブランクシートＳ１は外面側が見えるように配置されている。
ブランクシートＳ１の各罫線（折線）は、ブランクシートＳ１の表面を押し込んで形成された線状の溝（押罫）である。
なお、罫線に切れ込みを形成してもよい。このようにすると、罫線においてブランクシートＳ１を折り曲げ易くなる。
【００２５】
支持梁１１は、図５に示すように、前後方向に延びている逆Ｕ字形状の部材である。支持梁１１の前後方向の中間部において、前後の脚板１２，１２の間には、左右二つの保持部１１ａ，１１ａが形成されている。保持部１１ａは角筒状に形成されている。
【００２６】
支持梁１１の前部には左右一対の脚板１２，１２が連設され、支持梁１１の後部には左右一対の脚板１２，１２が連設されている。脚板１２は、支持梁１１の左右の縁部から下方に向けて延びている。
【００２７】
脚板１２は、図１１に示すように、四角形の平板であり、段ボールの段目Ｌ１（フルートの延長方向）が上下方向に延びている。脚板１２には、下縁部から上方に向けて延びている第一スリット１２ａおよび二本の第二スリット１２ｂ，１２ｂが形成されている。
第一スリット１２ａおよび両第二スリット１２ｂ，１２ｂは、脚板１２の下縁部から高さ方向の中央部まで延びている。第一スリット１２ａの溝幅は、両第二スリット１２ｂ，１２ｂの溝幅よりも大きく形成されている。
前側の脚板１２では、第一スリット１２ａの前方に第二スリット１２ｂが配置され、後側の脚板１２では、第一スリット１２ａの後方に第二スリット１２ｂが配置されている。
【００２８】
芯材１３は、図９に示すように、前後方向に延びている棒状の部材である。図１１に示すように、芯材１３を構成する段ボールの段目Ｌ２は、前後方向に延びている。
芯材１３は、図１０に示すように、一枚の段ボール製のシートを切り抜いたブランクシートＳ４を各罫線において山折りまたは谷折りに折り畳むことで形成される（図９参照）。第一実施形態の芯材１３は、図９に示すように、平板が左右方向に四重に重ねられている。また、ブランクシートＳ４には、形成された芯材１３の形状を固定するための係止片および連結穴からなる係止構造が設けられている（図１０参照）。
図１０に示すブランクシートＳ４は外面側が見えるように配置されている。ブランクシートＳ４の各罫線（折線）は、ブランクシートＳ４の表面を押し込んで形成された線状の溝（押罫）である。
なお、罫線に切れ込みを形成してもよい。このようにすると、罫線においてブランクシートＳ４を折り曲げ易くなる。
【００２９】
芯材１３は、図１１に示すように、支持梁１１の保持部１１ａに挿通されている。これにより、芯材１３は、支持梁１１の内面に重ねられている。
本実施形態では、図６に示すブランクシートＳ１の支持梁１１の内面に芯材１３を重ねて配置し、芯材１３を保持部１１ａの各壁部によって囲むことで、図１１に示すように、芯材１３を保持部１１ａに挿通させている。
芯材１３の前端部は保持部１１ａから前方に突出するとともに、芯材１３の後端部は保持部１１ａから後方に突出している。
【００３０】
芯材１３の外面の下部には、図９に示すように、前後二つの位置決め片１３ａ，１３ａが突出している。図１１に示すように、前側の位置決め片１３ａは保持部１１ａの前縁部に係合するとともに、後側の位置決め片１３ａは保持部１１ａの後縁部に係合するように構成されている。つまり、前後の位置決め片１３ａ，１３ａの間に保持部１１ａの底部が配置されることで、保持部１１ａに対して芯材１３が位置決めされている。
【００３１】
第二フレーム２０は、図７に示すように、一枚の段ボール製のシートを切り抜いたブランクシートＳ２を罫線において二つ折りに折り畳んだものである（図５参照）。図７に示すブランクシートＳ２は外面側が見えるように配置されている。
ブランクシートＳ２の罫線（折線）は、ブランクシートＳ２の表面を押し込んで形成された線状の溝（押罫）である。
なお、罫線に切れ込みを形成してもよい。このようにすると、罫線においてブランクシートＳ２を折り曲げ易くなる。
【００３２】
第二フレーム２０には、図５に示すように、上縁部から下方に向けて窪んでいる複数のスリット２１が形成されている。スリット２１は、第二フレーム２０の下縁部から高さ方向の中央部まで延びている。
【００３３】
各第一フレーム１０の脚板１２の第一スリット１２ａに、第二フレーム２０のスリット２１を組み合わせることで、図４に示すように、第二フレーム２０が各第一フレーム１０の各脚板１２に組み付けられている。
【００３４】
図５に示すように、第二フレーム２０の上縁部において、第一フレーム１０の支持梁１１の直下（左右の脚板１２，１２の間）に配置される部位は、他の部位よりも低く形成されている。そして、図１３に示すように、芯材１３の前後の端部は、前後の第二フレーム２０，２０の上縁部に載置されている。このように、芯材１３の前後の端部は、前後の第二フレーム２０，２０に支持されている。
【００３５】
第三フレーム３０は、図８に示すように、一枚の段ボール製のシートを切り抜いたブランクシートＳ３を各罫線において山折りに折り曲げたものである（図５参照）。図８に示すブランクシートＳ３は外面側が見えるように配置されている。
ブランクシートＳ３の罫線（折線）は、ブランクシートＳ３の表面を押し込んで形成された線状の溝（押罫）である。
なお、罫線に切れ込みを形成してもよい。このようにすると、罫線においてブランクシートＳ３を折り曲げ易くなる。
【００３６】
第三フレーム３０は、図５に示すように、左右方向に延びている底板３１と、底板３１の前後の縁部から上方に向けて延びている前後の差込板３２，３２と、を備えている。すなわち、第三フレーム３０は、軸断面がＵ形状に形成されている。
【００３７】
第三フレーム３０の差込板３２には、上縁部から下方に向けて窪んでいる複数のスリット３３が形成されている。スリット３３は、第三フレーム３０の下縁部から高さ方向の中央部まで延びている。
【００３８】
各第一フレーム１０の脚板１２の二つの第二スリット１２ｂ，１２ｂに、第三フレーム３０の二枚の差込板３２，３２のスリット３３，３３を組み合わせることで、図４に示すように、第三フレーム３０が各第一フレーム１０の各脚板１２に組み付けられている。
【００３９】
各第一フレーム１０の前部および後部に第二フレーム２０および第三フレーム３０をそれぞれ組み付け、各第一フレーム１０を左右方向に並べた状態に固定することで、フレーム本体２が形成されている。
フレーム本体２では、各第一フレーム１０の前後の脚板１２，１２の間に収容空間Ｓが形成されている。収容空間Ｓは、鞄や箱などの荷物を収容するための空間であり、図１に示すように、フレーム本体２の左右の側面に開口している。
【００４０】
カバー３は、図３に示すように、フレーム本体２の側部を覆うシートである。本実施形態では、段ボール製のカバー３は防炎加工および防水加工が施されている。
本実施形態のベッドフレーム１は、フレーム本体２の前後左右の側部を覆う四枚のカバー３を備えている。前後のカバー３，３は、フレーム本体２の前後の側部の形状に合わせて形成されている。左右のカバー３，３は、フレーム本体２の左右の側部の形状に合わせて形成されている。
【００４１】
カバー３の上縁部、下縁部および側縁部は、内側（裏側）に折り曲げられている。これにより、段ボールの切断縁はカバー３の内面（裏面）に重なっており、カバー３の表面の縁部は段ボールの折り曲げ部によって形成されている。
カバー３の上縁部は、内側に折り曲げられており、フレーム本体２の上面の縁部に載置されるとともに、フレーム本体２の上面に形成された連結用の溝部に差し込まれている。また、カバー３の下縁部は、内側に折り曲げられており、フレーム本体２の下面の縁部に載置されるとともに、フレーム本体２の下面に形成された連結用の溝部に差し込まれている。このように、四枚のカバー３は、図２に示すように、接着手段を用いることなく、フレーム本体２の前後左右の側部にそれぞれ取り付けられている。
【００４２】
本実施形態のベッドフレーム１では、図１に示すように、二つのフレーム本体２，２を前後方向に連続して並べている。ベッドフレーム１は、両フレーム本体２，２の上面にマットレスなどの寝具を敷いて使用する。
なお、前後のフレーム本体２，２の上面に亘って段ボール製の床板を敷いてもよい。床板を左右のカバー３，３の上縁部の間に配置することで、前後のフレーム本体２，２が左右方向にずれるのを防ぐことができる。
【００４３】
ヘッドボード４は、前側のフレーム本体２の上面に立設されている。ヘッドボード４は、図２に示すように、上下方向に延びている複数の支柱７０と、各支柱７０の上部に組み付けられた壁部８０と、を備えている。
【００４４】
支柱７０は、図１４に示すように、上下方向に延びている柱本体７１と、柱本体７１の上部に形成された支持部７２と、を備えている。柱本体７１および支持部７２を構成する段ボールの段目は上下方向に延びている。
【００４５】
支柱７０は、図１５に示すように、一枚の段ボール製のシートを切り抜いたブランクシートＳ５を各罫線において山折りまたは谷折りすることで形成される。第一実施形態のブランクシートＳ５では、柱本体７１の上部となる部位の側方に支持部７２となる部位が形成されている。そして、柱本体７１となる部位および支持部７２となる部位を横方向に折り曲げることで、図１４に示す柱本体７１および支持部７２が形成される。また、ブランクシートＳ５には、形成された支柱７０の形状を固定するための係止片および連結穴からなる係止構造が設けられている（図１５参照）。
図１５に示すブランクシートＳ５は外面側が見えるように配置されている。ブランクシートＳ５の各罫線（折線）は、ブランクシートＳ５の表面を押し込んで形成された線状の溝（押罫）である。
なお、罫線に切れ込みを形成してもよい。このようにすると、罫線においてブランクシートＳ５を折り曲げ易くなる。
【００４６】
柱本体７１は、図１４に示すように、上下方向に延びている角筒状の部材である。柱本体７１の下部は、図２に示すように、隣り合う第一フレーム１０，１０の間に差し込まれる。また、柱本体７１の下部は、図１６に示すように、第三フレーム３０の前後の差込板３２，３２の間に差し込まれている。柱本体７１の下端部は、第三フレーム３０の底板３１の上面に載置されている。
このようにして、柱本体７１はフレーム本体２の上面の前縁部に立設されている。第一実施形態のヘッドボード４では、図２に示すように、四本の柱本体７１が左右方向に間隔を空けて並設されている。
【００４７】
支持部７２は、図１４に示すように、柱本体７１の上部の前面に連設されており、柱本体７１の下部よりも前方に突出している。支持部７２は、柱本体７１に沿って上下方向に延びている角筒状の部材である。
【００４８】
図１６に示すように、柱本体７１の下部をフレーム本体２に組み付けた状態では、支持部７２の下縁部が第三フレーム３０の上縁部およびカバー３の上縁部に載置されている。このように、支持部７２の下縁部は、フレーム本体２の上面に支持されている。
【００４９】
壁部８０は、図２に示すように、各支柱７０の上部を覆う箱体である。図１６に示すように、壁部８０の内部に柱本体７１の上部および支持部７２が収容されている。本実施形態では、段ボール製の壁部８０に防炎加工および防水加工が施されている。壁部８０の縁部は内側（裏側）に折り曲げられている。
なお、第一実施形態の壁部８０の上面の中央部には、携帯電話やメガネなどの小物を入れるための窪み部８１が形成されている。また、第一実施形態の壁部８０の上面には、フックを引っ掛けるための左右の穴部８２，８２が形成されている。
【００５０】
以上のような第一実施形態のベッドフレーム１では、図１に示すように、フレーム本体２の前後の脚板１２，１２（図４参照）の間に収容空間Ｓが形成されている。収容空間Ｓはフレーム本体２の左右側部に開口しており、鞄や箱などを収容することができる。
【００５１】
第一実施形態のベッドフレーム１では、図１１に示すように、収容空間Ｓの上方に配置された支持梁１１に芯材１３が設けられている。芯材１３の前後の端部は、前後の第二フレーム２０，２０に支持されている。このように、収容空間Ｓの上方に配置された支持梁１１が芯材１３によって補強されている。
また、芯材１３を構成する段ボールの段目Ｌ２が芯材１３の長手方向に延びているため、芯材が折れ曲がり難い。さらに、脚板１２を構成する段ボールの段目Ｌ１が上下方向に延びているため、上方からの荷重に対する脚板１２の強度が高い。
このように、図１に示すベッドフレーム１では、段ボール製のフレーム本体２の下部に収容空間Ｓを設けても、収容空間Ｓの上方に配置された部位の強度が高いため、ベッドフレーム１の耐荷重を十分に確保できる。
【００５２】
第一実施形態のフレーム本体２では、図１１に示すように、支持梁１１の保持部１１ａに芯材１３が挿通されており、芯材１３の前後の位置決め片１３ａ，１３ａが保持部１１ａの前後の縁部に係合している。これにより、支持梁１１に対して芯材１３の位置がずれるのを防ぐことができるため、収容空間Ｓの上方に配置された部位の強度を確実に高めることができる。
【００５３】
第一実施形態のフレーム本体２では、図４に示すように、軸断面がＵ形状の第三フレーム３０が各第一フレーム１０の前部および後部にそれぞれ組み付けられている。このようにすると、フレーム本体２が前後方向および左右方向に歪むのを効果的に防ぐことができる。
【００５４】
第一実施形態のベッドフレーム１では、図１に示すように、フレーム本体２の側部を覆うカバー３が設けられている。カバー３の縁部は内側に折り曲げられており（図３参照）、フレーム本体２の側部に段ボールの切断縁が露出しないため、ベッドフレーム１を使用するときの安全性を高めることができる。
【００５５】
第一実施形態のベッドフレーム１には、図２に示すように、ヘッドボード４が設けられている。ヘッドボード４の支柱７０を構成する段ボールの段目は上下方向に延びている。このようにすると、前後方向から作用する力に対する支柱７０の強度が高くなる。さらに、図１６に示すように、ヘッドボード４の支柱７０の上部に設けられた支持部７２の下縁部がフレーム本体２の上面に支持されている。
これにより、ベッドフレーム１に横たわる使用者がヘッドボード４の後面に寄り掛かったときに、その荷重をヘッドボード４が確実に支持できる。
【００５６】
以上、本発明の第一実施形態について説明したが、本発明は前記実施形態に限定されることなく、その趣旨を逸脱しない範囲で適宜に変更が可能である。
【００５７】
第一実施形態の第一フレーム１０では、図５に示すように、支持梁１１の前部および後部にそれぞれ左右二枚の脚板１２，１２が形成されているが、左右二枚のうち一枚の脚板１２のみを支持梁１１に形成してもよい。
【００５８】
第一実施形態の芯材１３は、図９に示すように、棒状の部材であり、図１０に示すブランクシートＳ４を折り畳むことで形成されているが、芯材１３の構成は限定されるものではない。例えば、芯材１３を一枚の平板によって構成してもよい。
【００５９】
第一実施形態のベッドフレーム１では、図１に示すように、二つのフレーム本体２，２を前後方向に並べているが、フレーム本体２の数は限定されるものではない。例えば、フレーム本体２の前後方向の長さを大きくすることで、一つのフレーム本体２によってベッドフレーム１を構成してもよい。また、フレーム本体２を左右方向に並べることで、ベッドフレーム１の幅を広げることもできる。
【００６０】
第一実施形態のフレーム本体２では、図３に示すように、五つの第一フレーム１０を左右方向に並べているが、第一フレーム１０の数は限定されるものではなく、ベッドフレーム１の幅や許容耐荷重に応じて、適宜に設定されるものである。
【００６１】
第一実施形態のフレーム本体２では、各第一フレーム１０に第二フレーム２０および第三フレーム３０を組み付けているが、各第一フレーム１０には少なくとも第二フレーム２０が組み付けられていればよい。
【００６２】
第一実施形態の第二フレーム２０は、図７に示すように、一枚の段ボール製のシートを二つ折りに折り畳んで二重に構成されているが、シートを折り畳むことなく、一枚の単層のシートによって第二フレーム２０を構成してもよい。
【００６３】
第一実施形態のベッドフレーム１では、図２に示すように、ヘッドボード４が設けられているが、ヘッドボード４の構成は限定されるものではない。さらに、ベッドフレーム１にヘッドボード４を設けなくてもよい。
【００６４】
［第二実施形態］
次に、第二実施形態のベッドフレーム１Ａについて説明する。
第二実施形態のベッドフレーム１Ａは、図１７および図１８に示すように、フレーム本体２Ａの連結構造、第一フレーム１０の本数、芯材１３０（図２２参照）、第二フレーム２０Ａおよび第三フレーム３０Ａの構成が、第一実施形態のベッドフレーム１（図２参照）と異なっている。また、第二実施形態のベッドフレーム１Ａは、ヘッドボード４Ａの支柱１７０の構成および本数が、第一実施形態の支柱７０（図２参照）と異なっている。
【００６５】
第二実施形態のフレーム本体２Ａでは、図１９に示すように、四つの第一フレーム１０が左右方向に所定の間隔を空けて並べられている。第二実施形態のフレーム本体２Ａは、五つの第一フレーム１０を有する第一実施形態のフレーム本体２（図３参照）よりも第一フレーム１０の本数が少ない。
【００６６】
第二実施形態の第二フレーム２０Ａは、図２０に示すように、第一実施形態の第二フレーム２０（図５参照）と同様に、一枚のブランクシートを二つ折りに折り畳んだものである。
第二実施形態の第二フレーム２０Ａは、四つの第一フレーム１０に組み付けられるため、五つの第一フレーム１０に組み付けられる第一実施形態の第二フレーム２０（図５参照）よりもスリット２１の本数が少ない。
【００６７】
第二実施形態の第三フレーム３０Ａは、一枚の平板によって構成されている。第二実施形態では、第一フレーム１０の両脚部１２，１２にそれぞれ二枚の第三フレーム３０Ａ，３０Ａが組み付けられている。つまり、第二実施形態のフレーム本体２Ａには、四枚の第三フレーム３０Ａが組み付けられている。
第二実施形態の第三フレーム３０Ａは、四つの第一フレーム１０に組み付けられるため、五つの第一フレーム１０に組み付けられる第一実施形態の第三フレーム３０（図５参照）よりもスリット３３の本数が少ない。
【００６８】
第二実施形態のベッドフレーム１Ａでは、図２１に示すように、前後方向に並べられた二つのフレーム本体２Ａ，２Ａが連結されている。両フレーム本体２Ａ，２Ａを連結する場合には、一方のフレーム本体２Ａのカバー３の上面に形成された係止片３ａを前後方向に折り返して、他方のフレーム本体２Ａのカバー３の上面に形成された連結穴３ｂに押し込む。
このようにして、係止片３ａの側縁部を連結穴３ｂの開口縁部に内側から係止させて、前後のフレーム本体２Ａ，２Ａを連結することで、二つのフレーム本体２Ａ，２Ａを安定させることができる。
【００６９】
第二実施形態の芯材１３０は、図２２に示すように、前後方向に延びている棒状の部材であり、段ボールの段目は、前後方向に延びている。
第二実施形態の芯材１３０は、図２３に示される一枚の段ボール製のシートを切り抜いたブランクシートＳ１０４を罫線において折り畳むことで形成される（図２２参照）。第二実施形態の芯材１３０は、図２２に示すように、平板が左右方向に二重に重ねられている。この構成では、芯材１３０を簡単に組み立てることができる。
【００７０】
第二実施形態のヘッドボード４Ａには、図１８に示すように、三本の支柱１７０が左右方向に間隔を空けて並設されている。支柱１７０の柱本体１７１の下部は、隣り合う第一フレーム１０，１０の間に差し込まれる。また、柱本体７１の下部は、前後の第三フレーム３０Ａ，３０Ａの間に差し込まれる。
第二実施形態のヘッドボード４Ａでは、壁部８０の上面に左右二つの窪み部８１，８１が形成されている。
【００７１】
第二実施形態の支柱１７０は、図２４に示すように、上下方向に延びている柱本体１７１と、柱本体１７１の上部に形成された支持部１７２と、を備えている。柱本体１７１および支持部１７２を構成する段ボールの段目は上下方向に延びている。
【００７２】
第二実施形態の支柱１７０は、図２５に示すように、一枚の段ボール製のシートを切り抜いたブランクシートＳ１０５を各罫線において山折りまたは谷折りすることで形成される。また、ブランクシートＳ１０５には、図２４に示すように、形成された支柱１７０の形状を固定するための係止片および連結穴からなる係止構造が設けられている（図２５参照）。
第二実施形態のブランクシートＳ１０５では、柱本体１７１の上側に支持部１７２となる部位が罫線を介して連設されている。そして、図２６に示すように、柱本体１７１および支持部１７２を角筒状に形成した後に、支持部１７２を柱本体１７１に対して折り返すことで、支柱１７０が形成される。
【００７３】
第二実施形態の支柱１７０の柱本体１７１の下端部には、内側に折り曲げた折り曲げ部１７１ａが形成されている。これにより、図１８に示すように、柱本体７１の下端部を前後の第三フレーム３０Ａ，３０Ａの間に差し込み易くなっている。
【００７４】
以上、本発明の第二実施形態について説明したが、本発明は前記第二実施形態に限定されることなく、前記第一実施形態と同様に、その趣旨を逸脱しない範囲で適宜に変更が可能である。
【符号の説明】
【００７５】
１      ベッドフレーム（第一実施形態）
１Ａ    ベッドフレーム（第二実施形態）
２      フレーム本体（第一実施形態）
２Ａ    フレーム本体（第二実施形態）
３      カバー
４      ヘッドボード（第一実施形態）
４Ａ    ヘッドボード（第二実施形態）
１０    第一フレーム
１１    支持梁
１１ａ  保持部
１２    脚板
１２ａ  第一スリット
１２ｂ  第二スリット
１３    芯材（第一実施形態）
１３ａ  位置決め片
２０    第二フレーム
２０Ａ  第二フレーム（第二実施形態）
２１    スリット
３０    第三フレーム
３０Ａ  第三フレーム（第二実施形態）
３１    底板
３２    差込板
３３    スリット
７０    支柱
７１    柱本体
７２    支持部
８０    壁部
１３０  芯材（第二実施形態）
１７０  支柱（第二実施形態）
１７１  柱本体（第二実施形態）
１７２  支持部（第二実施形態）
Ｓ      収容空間
Ｓ１    ブランクシート
Ｓ２    ブランクシート
Ｓ３    ブランクシート
Ｓ４    ブランクシート（第一実施形態）
Ｓ５    ブランクシート（第一実施形態）
Ｓ１０４  ブランクシート（第二実施形態）
Ｓ１０５  ブランクシート（第二実施形態）
【図１】
2020081857.tif 000003
【図２】
2020081857.tif 000004
【図３】
2020081857.tif 000005
【図４】
2020081857.tif 000006
【図５】
2020081857.tif 000007
【図６】
2020081857.tif 000008
【図７】
2020081857.tif 000009
【図８】
2020081857.tif 000010
【図９】
2020081857.tif 000011
【図１０】
2020081857.tif 000012
【図１１】
2020081857.tif 000013
【図１２】
2020081857.tif 000014
【図１３】
2020081857.tif 000015
【図１４】
2020081857.tif 000016
【図１５】
2020081857.tif 000017
【図１６】
2020081857.tif 000018
【図１７】
2020081857.tif 000019
【図１８】
2020081857.tif 000020
【図１９】
2020081857.tif 000021
【図２０】
2020081857.tif 000022
【図２１】
2020081857.tif 000023
【図２２】
2020081857.tif 000024
【図２３】
2020081857.tif 000025
【図２４】
2020081857.tif 000026
【図２５】
2020081857.tif 000027
【図２６】
2020081857.tif 000028